(57)【要約】【課題】狭いトレイルームに設置された手洗い器においても、使い勝手の良い手洗い器、及び、手洗い器を備えたカウンターを提供する。【解決手段】入口間口が８００ｍｍ以下のトイレルームに設けられる手洗い器であって、水を吐出する吐水孔が設けられた吐水手段と、前記吐水手段が設置される設置部と、前記水を受け、下部に排水孔が設けられた水受け部と、を有し、前記吐水孔の中心が前記排水孔の中心よりも手前側に位置する手洗い器。【選択図】図３
2016106837.tif 000002
【特許請求の範囲】
【請求項１】
入口間口が８００ｍｍ以下のトイレルームに設けられる手洗い器であって、
水を吐出する吐水孔が設けられた吐水手段と、
前記吐水手段が設置される設置部と、
前記水を受け、下部に排水孔が設けられた水受け部と、を有し、
前記吐水孔の中心が前記排水孔の中心よりも手前側に位置することを特徴とする手洗い器。
【請求項２】
前記水受け部は、手前側が奥側に向かって下り傾斜していることを特徴とする請求項１記載の手洗い器。
【請求項３】
前記設置部は、前記水受け部へ下り傾斜していることを特徴とする請求項１又は請求項２記載の手洗い器。
【請求項４】
請求項１乃至３の何れか１項に記載の手洗い器が設置される前記カウンターであって、  前記手洗い器の一部を埋設する開口部が設けられた載置部を有することを特徴とするカウンター。
【請求項５】
請求項１乃至４の何れか１項に記載の手洗い器が設置される前記カウンターであって、前記設置部は、前記カウンターの正面からみて、前記手洗い器本体のうちの側方部に設けられたことを特徴とする手洗い器が設置されたカウンター。
【発明の詳細な説明】
【技術分野】
【０００１】
本発明の態様は、手洗い器、及び、カウンターに関する。
【背景技術】
【０００２】
近年、手洗い器が設置されたカウンターを備えたトイレルームが普及している。  
【０００３】
特許文献１には、比較的狭いトイレルーム内に適用可能な鏡付き手洗い器のトイレ内配置構造が記載されている。この鏡付き手洗い器は、トイレルームの長手方向をなす側壁に配置されている。
【先行技術文献】
【特許文献】
【０００４】
【特許文献１】特開２００７−０２９５４４号公報
【発明の概要】
【発明が解決しようとする課題】
【０００５】
特許文献１のような比較的狭いトイレルームで手洗い器の下方に設けられる収納部の収納を確保するには、排水芯は極力壁側がよい。しかし、排水芯に合わせて吐水芯を壁側に寄せると、使用者は手洗い時に壁に近い位置で手洗いをしなければならず使い勝手が悪いという課題があった。
【０００６】
本発明は、かかる課題の認識に基づいてなされたものであり、狭いトレイルームに設置された手洗い器においても、使い勝手の良い手洗い器、及び、手洗い器を備えたカウンターを提供することを目的とする。
【課題を解決するための手段】
【０００７】
本発明の第１の態様は、入口間口が８００ｍｍ以下のトイレルームに設けられる手洗い器であって、水を吐出する吐水孔が設けられた吐水手段と、吐水手段が設置される設置部と、水を受け、下部に排水孔が設けられた水受け部と、を有し、吐水孔の中心が排水孔の中心よりも手前側に位置する手洗い器である。
この手洗い器によれば、吐水孔の中心が排水孔の中心よりも手前にあるので、狭いトイレ空間でも手洗いしやすく使い勝手が良い。
【０００８】
本発明の第２の態様は、第１の態様において、水受け部は、手前側が奥側に向かって下り傾斜している手洗い器である。
この手洗い器によれば、吐水手段から供給された水を水受け部の奥側に誘導することで、排水孔のある奥側に水が誘導され、水をスムーズに排水できる。
【０００９】
本発明の第３の態様は、第１又は２の態様において、設置部は、水受け部へ下り傾斜している手洗い器である。
この手洗い器によれば、設置部に水が残るのを抑制でき、設置部に水垢などが発生することを防ぐことができる。
【００１０】
本発明の第４の態様は、第１乃至３の態様の何れか１つの手洗い器が設置されるカウンターであって、前記手洗い器の一部を埋設する開口部が設けられた載置部を有することを特徴とするカウンターである。
このカウンターによれば、手洗い器の一部を埋設する開口部が設けられた載置部を有する。このため、水受け部の深さ寸法の大きさによらず、使用者の使い勝手の良い高さの手洗い器が設置されたカウンターを提供できる。
【００１１】
本発明の第５の態様は、第１乃至４の態様の何れか１つの手洗い器が設置される前記カウンターであって、前記設置部は、前記カウンターの正面からみて、前記手洗い器本体のうちの側方部に設けられたことを特徴とする手洗い器が設置されたカウンターである。
このカウンターによれば、載置部は、カウンターの正面からみて、手洗い器本体のうちの側方部に設けられている。このため、手洗い器のカウンターに対する奥行き方向の寸法を抑えることができる。
【発明の効果】
【００１２】
本発明の態様によれば、狭いトレイルームに設置された手洗い器においても、使い勝手の良い手洗い器、及び、手洗い器を備えたカウンターが提供される。
【図面の簡単な説明】
【００１３】
【図１】本発明の一実施形態に係る手洗い器及びカウンターを備えたトイレルームを示す模式的斜視図である。
【図２】図１における手洗い器を示す模式的斜視図である。
【図３】図２の手洗い器を示す模式的断面図である。
【図４】図２の手洗い器を示す模式的断面図である。
【図５】図４の手洗い器本体のゴムブッシュ取付孔を示す模式的断面図である。
【図６】図２の手洗い器本体を示す模式的断面図である。
【図７】図２の手洗い器本体を示す模式的断面図である。
【図８】図２の手洗い器本体を示す模式的上面図である。
【図９】本発明の別実施形態に係る手洗い器本体を示す模式的上面図である。
【図１０】本発明の一実施形態に係る手洗い器の使用例を示す模式図である。
【図１１】本発明の一実施形態に係る水受け部の上面と吐水孔との垂直距離に関するグラフである。
【図１２】本発明の一実施形態に係る水受け部の深さ寸法に関するグラフである。
【図１３】本発明の一実施形態に係るトイレルームの概略平面図である。
【発明を実施するための形態】
【００１４】
以下、本発明の実施の形態について図面を参照しつつ説明する。なお、各図面中、同様の構成要素には同一の符号を付して詳細な説明は適宜省略する。  
【００１５】
図１は、本発明の一実施形態に係る手洗い器及びカウンターを備えたトイレルームを示す模式的斜視図ある。  
図２は、図１の手洗い器を示す模式的斜視図である。
図３は、図２の手洗い器を示す模式的断面図である。
図４は、図２の手洗い器を示す模式的断面図である。
なお、図２（ａ）は、水栓装置、手洗い器本体、及び、カウンターを分解して表した模式的分解図である。図２（ｂ）は、水栓装置、手洗い器本体、及び、カウンターを組み立てて表した模式的組立図である。図３は、図２に表した切断面Ａ１−Ａ１における模式的断面図である。図４は、図２に表した切断面Ａ２−Ａ２における模式的断面図である。  
まず、図１〜４を用いて、本発明の一実施形態に係る手洗い器６、及び、手洗い器６が載置されたカウンター２について説明する。
【００１６】
図１に示すように、トイレルーム１００は、水洗式の大便器１と、樹脂製のカウンター２と、カウンター２より上方に設けられた鏡４と、カウンター２に載置された手洗い器６と、を備えている。大便器１は陶器製であり、トイレルーム１００の床面１０１に設置されている。この大便器１には、樹脂製の便座（図示せず）と、樹脂製の便蓋８と、が載置されている。カウンター２及び鏡４は、大便器１に対するトイレルーム１００の横壁面１０２に当接して設置されている。なお、トイレルーム１００の横壁面１０２とは、大便器１からみて側方に位置する壁面をいう。カウンター２は、物品を収納できる収納部１０と、収納部１０の上方に設けられた載置部１２と、トイレットペーパー１４が設置可能なペーパーホルダー部１６と、を有している。載置部１２は、床面１０１に対して水平である。
【００１７】
図２〜４に示すように、手洗い器６は、陶器製の手洗い器本体１８と、水を吐水する水栓装置（吐水手段）２０と、を有する。手洗い器本体１８は、吐水装置２０から吐出される水を受け、手洗い器本体１８の下部に排水孔２１が設けられた水受け部２４と、水栓装置２０が設置される設置部２５と、を有する。また、水受け部２４の排水孔２１の上方には、小孔２２が設置されている。水栓装置２０は、内部にシングルレバーカートリッジが設置された、シングルレバー式の湯水混合水栓である。水栓装置２０は、水を水栓装置２０外へ吐出する吐水孔２６が設けられた吐水部２７と、設置部２５に当接する取付部２９と、取付部２９の下方に設けられた下端部３１と、を有する。下端部３１は、ねじ加工されており、フレキシブルホース（図示せず）が接続されている。水栓装置２０は、可撓性のフレキシブルホースから流れた給水源からの水を、吐水孔２６から水受け部２４へ吐出する。水受け部２４へ吐出された水は、小孔２２へと流れる。小孔２２へと流れた水は、排水孔２１を通り下水管に接続された排水流路２８へと排出される。また、水受け部２４は手前側から奥側に向かって下り傾斜している。また、設置部２５は水受け部２４に向かって下り傾斜している。
【００１８】
本発明の一実施形態に係る手洗い器６は、比較的狭いトイレルーム、具体的には図１２に示すようなトイレルームの壁から壁の横幅である入口間口Ｗが８００ｍｍ以下のトイレルームに設置される。
【００１９】
手洗い器６は、手洗い器本体１８の下方部分が載置部１２に設置された開口部３０に挿入されるように、載置部１２に埋設される。このことより、手洗い器本体１８の下方部分を載置部１２の上面に載置する場合と比べ、手洗い器本体１８が載置部１２より上方へ突出する量を低減することができる。よって、高さが高いカウンター２を設置した場合でも、使用者は、手洗い器６を容易に使用することができる。
【００２０】
手洗い器６は、溢れ面３２が水平面に対して平行になるように、開口部３０に埋設される。なお、本発明の一実施形態における「水平面」とは、重力が働く方向に垂直な面である。このことより、小孔２２又は排水流路２８に詰まりが発生した場合でも、手洗い器６の限界容量まで水を蓄えることができ、手洗い器６から水が溢れることを可能な限り抑制できる。
【００２１】
手洗い器本体１８の設置部２５は、内部が貫通した水栓取付孔３４が設置された水平部３６と、水平部３６と連続して設けられた傾斜部３８と、を有する。水平部３６は、水平面に対して平行に形成されている。水栓取付孔３４は、下端部３１が挿入可能とされている。設置部２５は、カウンター２を手前側（正面側）からみたとき、手洗い器本体１８のうちの右側方部及び左側方部のいずれかに設けられている。例えば、設置部２５は、手洗い器本体１８の、図１における後方側、即ちトイレルーム１００内において横壁面１０２をみたときの右側、に設けられている。水平部３６及び傾斜部３８については、後に詳述する。
【００２２】
下端部３１は、水栓取付孔３４に挿入されている。下端部３１が水栓取付孔３４に挿入された状態において、下端部３１の下方からナット３９が取付部２９に螺合接続されることで、水栓装置２０が手洗い器本体１８に固定される。
【００２３】
図３に示すように、水栓装置２０は、設置部２５において、トイレルーム１００の横壁面１０２寄り、即ち図１における設置部２５の奥側に設置される。即ち、図３に表したように、奥行き方向における水栓装置２０の中心Ｃ１と、横壁面１０２と当接する手洗い器本体１８の奥側端部４１と、の間の距離Ａは、水栓装置２０の中心Ｃ１と、奥側端部４１とは反対側の端部分である手洗い器本体１８の前端部４３と、の間の距離Ｂよりも短い。言い換えれば、奥行き方向における水栓装置２０の中心Ｃ１は、設置部２５において、奥行き方向における手洗い器本体１８の中心Ｃ２よりも横壁面１０２寄りに位置する。このことより、使用者が手を洗浄する際に発生する水撥ねは、カウンター２の外へ飛び散りにくくなる。
【００２４】
また、図３に示すように、奥行き方向における水栓装置２０の中心つまり、吐水孔２６の中心Ｃ１は、排水孔２１の中心Ｃ３よりも手前側に位置している。排水孔２１を奥側に配置することにより、排水流路１０を奥側に配置できるので、収納部１０の空間を広くとることができ、且つ、吐水孔２６を手前側に配置することにより、狭いトイレルームにおいても、使い勝手の良い手洗い器となる。
【００２５】
図５は、図４の手洗い器本体のゴムブッシュ取付孔を示す模式的断面図である。  
図５（ａ）は、ねじ６６が螺合部５０に螺合された状態を表す模式的断面図である。図５（ｂ）は、図５（ａ）に表した状態と比較して、ねじ６６が螺合部５０にさらに螺合された状態を表す模式的断面図である。  
次に、図４及び５を用いて、本発明の一実施形態に係る手洗い器６の支持方法、及び、カウンター２への固定方法について説明する。
【００２６】
図４及び５に示すように、手洗い器本体１８は、載置部１２に当接する支持部４０を有する。また、手洗い器本体１８の下方には、ゴムブッシュ４２が挿入されるゴムブッシュ取付孔４４が設置されている。なお、本発明の一実施形態においては、２つのゴムブッシュ取付孔４４が手洗い器本体１８に設置されているが、それに限らず、１つのゴムブッシュ取付孔４４が設置されていても良いし、３つ以上のゴムブッシュ取付孔４４が設置されていても良い。
【００２７】
図５（ａ）及び図５（ｂ）に示したように、ゴムブッシュ４２は、内部が貫通している貫通孔４６が設置されたゴム製のゴムブッシュ本体部４８と、金属製の螺合部５０と、を有する。螺合部５０は、ねじ加工されており、貫通孔４６の内側壁面に設けられている。
【００２８】
ゴムブッシュ本体部４８は、第１ゴムブッシュ本体部５２と、第２ゴムブッシュ本体部５４と、第３ゴムブッシュ本体部５６と、第４ゴムブッシュ本体部５８と、を有する。第２ゴムブッシュ本体部５４は、第１ゴムブッシュ本体部５２に連続して形成されている。第３ゴムブッシュ本体部５６は、第２ゴムブッシュ本体部５４に連続して形成されている。第４ゴムブッシュ本体部５８は、第３ゴムブッシュ本体部５６に連続して形成されている。第１ゴムブッシュ本体部５２及び第３ゴムブッシュ本体部５６の外径は、ゴムブッシュ取付孔４４の内径より大きい。第２ゴムブッシュ本体部５４及び第４ゴムブッシュ本体部５８の外径は、ゴムブッシュ取付孔４４の内径より小さい。螺合部５０は、第４ゴムブッシュ本体部５８の内部に形成された貫通孔４６の内側壁面に設けられている。
【００２９】
トイレルーム１００の横壁面１０２には、金属製のブラケット６０が設置されている。このブラケット６０は、Ｌ字状に形成されたフランジ部６２を有している。フランジ部６２には、内部が貫通しているねじ挿通孔６４が設置されている。
【００３０】
手洗い器６の支持方法、及び、カウンター２への固定方法について説明する。
まず、手洗い器本体１８の下方部分を載置部１２の開口部３０に挿入する。その結果、手洗い器６は、載置部１２に埋設される。そして、手洗い器本体１８の支持部４０は、カウンター２の載置部１２の上面に当接する。支持部４０が載置部１２の上面に当接することによって、手洗い器６の荷重が支持される。
【００３１】
次に、手洗い器本体１８のゴムブッシュ取付孔４４に、ゴムブッシュ４２を挿入する。ゴムブッシュ４２は、第４ゴムブッシュ本体部５８から、ゴムブッシュ取付孔４４に挿入される。第３ゴムブッシュ本体部５６の外径は、ゴムブッシュ取付孔４４の内径より大きいため、ゴムブッシュ４２をゴムブッシュ取付孔４４に挿入する際には、第３ゴムブッシュ本体部５６とゴムブッシュ取付孔４４とが衝突する。これに対して、第３ゴムブッシュ本体部５６はゴム製であるため、作業者等は、ゴムブッシュ４２に、ゴムブッシュ４２をゴムブッシュ取付孔４４へ挿入する方向へ、力を掛けることで、ゴムブッシュ取付孔４４と第１ゴムブッシュ本体部５２とが当接するまで、ゴムブッシュ４２をゴムブッシュ取付孔４４に挿入することができる。
【００３２】
次に、フランジ部６２のねじ挿通孔６４へ、金属製のねじ６６を挿入する。ねじ挿通孔６４を挿通したねじ６６は、ゴムブッシュ本体部４８の貫通孔４６に挿入される。貫通孔４６に挿入されたねじ６６は、螺合部５０に螺合される。
【００３３】
図５（ａ）に示すように、ねじ６６が螺合部５０に螺合されるにつれ、第３ゴムブッシュ本体部５６には、下方、即ちブラケット６０へ近づく方向へ力が働く。その結果、図５（ｂ）に示すように、第３ゴムブッシュ本体部５６は、ゴムブッシュ取付孔４４に衝突し、押し潰されるように変形する。このことにより、手洗い器本体１８には、ブラケット６０へ近づく方向へ力が働く。よって、支持部４０は、カウンター２の載置部１２の上面に強い力で当接される。従って、手洗い器６はカウンター２へ固定される。
【００３４】
図４に示すように、トイレルーム１００の横壁面１０２には、金属製のアングル６８が設置されている。このアングル６８の上端部７０は、カウンター２の載置部１２を下方から支持する。このことにより、横壁面１０２によって、カウンター２の載置部１２の荷重を支持することができる。
【００３５】
図６は、図２の手洗い器本体を示す模式的断面図である。
図７は、図２の手洗い器本体を示す模式的断面図である。
図８は、図２の手洗い器本体を示す模式的上面図である。
図９は、本発明の別実施形態に係る手洗い器本体を示す模式的上面図である。
なお、図６（ａ）は、図２（ａ）に表した切断面Ａ３−Ａ３における模式的断面図である。図７は、図２（ａ）に表した切断面Ａ４−Ａ４における模式的断面図である。図６（ｂ）は、図６（ａ）に表した領域Ａ１１を拡大した模式的拡大図である。
図６〜９を用いて、本発明の一実施形態に係る手洗い器本体１８についてさらに説明する。
【００３６】
図６（ａ）に示すように、水平部３６の上面３６ａは、傾斜部３８の上面３８ａより、上方に向かって突出している。即ち、水平部３６の上面３６ａは、設置部２５の上面から凸設されている。言い換えれば、水平部３６の上面３６ａは、傾斜部３８の上面３８ａよりも上方に位置している。また、水平部３６の下面３６ｂは、傾斜部３８の下面３８ｂより、上方に向かって陥没している。即ち、水平部３６の下面３６ｂは、設置部２５の下面から凹設されている。言い換えれば、水平部３６の下面３６ｂは、傾斜部３８の下面３８ｂよりも上方に位置している。このことより、水栓装置２０をナット３９を用いて水平部３６に取り付ける際に、水平部３６の上面３６ａの凸形状、及び、水平部３６の下面３６ｂの凹形状が、水栓装置２０の取付位置の目印となる。よって、水平部３６の上面３６ａの凸形状、及び、水平部３６の下面３６ｂの凹形状によって、水栓装置２０を手洗い器本体１８に、容易に取り付けることができる。
【００３７】
水平部３６及び傾斜部３８の厚さは、均一である。即ち、水平部３６の肉厚（厚さ）Ｃは、傾斜部３８の肉厚（厚さ）Ｄと同じである。このことにより、陶器である手洗い器本体１８を焼成して生産する際に、手洗い器本体１８に罅や割れが発生してしまうことを防ぐことができる。なお、本発明の一実施形態において、水平部３６の肉厚Ｃは、傾斜部３８の肉厚Ｄと同じであるが、それに限らず、水平部３６の肉厚Ｃと、傾斜部３８の肉厚Ｄと、の差分が、例えば５ミリメートル（ｍｍ）以内であれば良い。
【００３８】
図６（ｂ）に示すように、水平部３６は、傾斜部３８と滑らかに連続して形成されている。なお、本発明の一実施形態における「滑らか」とは、表面にバリなどの突起が無い状態を指す。このことより、水平部３６と傾斜部３８との接続部分の清掃性が向上する。
【００３９】
図７に示すように、傾斜部３８は、水平部３６に対して、θの角度で、水受け部２４へ向かって傾斜している。このθの大きさは、例えば１．５〜２度である。このことより、傾斜部３８にかかった水滴などを、重力によって、水受け部２４へ流すことができる。よって、傾斜部３８において水溜まりが生ずることを抑制することができる。
【００４０】
図８に示すように、水平部３６の上面３６ａは、上方からみて、取付部２９の周囲を覆い、且つ、取付部２９から手洗い器本体１８の端部７２まで延出するように形成されている。このことにより、水平部３６の上面３６ａにおいて、上方からみて、取付部２９から端部７２までの間に窪みが存在しない。よって、手洗い器本体１８の清掃性が向上する。
【００４１】
図９は、本発明の別実施形態に係る手洗い器本体を示す模式的上面図である。  
図９に示すように、水平部３６の上面３６ａは、上方からみた取付部２９の形状と、同じ形状に形成されている。このことにより、水平部３６の面積を最小限にすることができ、手洗い器本体１８の上面の、清掃性が向上する。
【００４２】
図１０は、本発明の一実施形態に係る手洗い器の使用例を示す模式図である。
図１１は、本発明の一実施形態に係る水受け部の上面と吐水孔との間の垂直距離に関するグラフである。
図１２は、本発明の一実施形態に係る水受け部の深さ寸法に関するグラフである。
なお、図１０は、図２（ｂ）に表した切断面Ａ１−Ａ１における模式的断面図である。図１１及び１２が示すグラフは、実験計画法という統計学の考えに基づいて、得られた実験データから算出されたグラフである。
図１０〜１２を用いて、本発明の一実施形態に係る手洗い器６の寸法設定についてさらに説明する。
【００４３】
図１０に示すように、本発明の一実施形態に係る手洗い器本体１８の奥行き寸法Ｅは、例えば２００ｍｍ以下である。水受け部２４の上面と吐水孔２６の最下端との間の垂直距離Ｆは、例えば５０ｍｍ以上、１００ｍｍ以下である。なお、「水受け部２４の上面」は、手洗い器本体１８の溢れ面３２と同義である。水受け部２４の深さ寸法Ｇは、例えば１００ｍｍ以上、２００ｍｍ以下である。このような寸法設定の手洗い器６においては、使用者は、手を洗浄する際に、自然と、水受け部２４の内部へ手を一定量挿入することになる。その結果、水受け部２４の外への水撥ねが発生してしまうことを抑制できる。
【００４４】
図１１（ａ）に表したグラフ図の横軸は、水受け部２４の上面と吐水孔２６の最下端との間の垂直距離Ｆ、即ち吐水孔２６の高さである。図１１（ａ）に表したグラフ図の縦軸は、使用者の手の洗浄具合の満足度である。なお、使用者の手の洗浄具合の満足度については、満足度「５」が「非常に洗いやすい」、満足度「４」が「洗いやすい」、満足度「３」が「普通程度の洗いやすさである」、満足度「２」が「洗いにくい」、満足度「１」が「非常に洗いにくい」である。
【００４５】
図１１（ａ）のグラフが示すように、吐水孔２６の高さが高いほど、使用者は、手が洗いやすいと感じる。吐水孔２６の高さが５０ｍｍ以上であれば、使用者の手の洗浄具合の満足度は、ほぼ「３」である。即ち、吐水孔２６の高さが５０ｍｍ以上になると、使用者は、手の洗浄動作において、ほぼ普通程度の洗いやすさであると感じるようになる。
【００４６】
図１１（ｂ）に表したグラフ図の横軸は、水受け部２４の上面と吐水孔２６の最下端との間の距離、即ち吐水孔２６の高さである。図１１（ｂ）に表したグラフ図の縦軸は、水受け部２４の外への水撥ねの量である。
【００４７】
図１１（ｂ）のグラフが示すように、吐水孔２６の高さが高いほど、水受け部２４の外への水撥ねの量が増加する。吐水孔２６の高さが１００ｍｍ以下であれば、水受け部２４の外への水撥ねの量は、吐水孔２６の高さが１５０ｍｍであるときの水受け部２４の外への水撥ねの量に比べ、半分以下となる。即ち、吐水孔２６の高さが１００ｍｍ以下となれば、水受け部２４の外への水撥ねの量は、大幅に減少する。
【００４８】
また、吐水孔２６の高さ、即ち水受け部２４の上面と吐水孔２６の最下端との間の垂直距離Ｆは、水道法により、５０ｍｍ以上に定められている。
【００４９】
以上のことより、水受け部２４の上面と吐水孔２６の最下端との間の垂直距離Ｆは、５０ｍｍ以上、且つ、１００ｍｍ以下であることが好ましい。
【００５０】
図１２（ａ）に表したグラフ図の横軸は、水受け部２４の深さ寸法Ｇである。図１２（ａ）に表したグラフ図の縦軸は、縦軸を使用者の手の洗浄具合の満足度である。なお、使用者の手の洗浄具合の満足度については、先程と同様に、満足度「５」が「非常に洗いやすい」、満足度「４」が「洗いやすい」、満足度「３」が「普通程度の洗いやすさである」、満足度「２」が「洗いにくい」、満足度「１」が「非常に洗いにくい」である。
【００５１】
図１２（ａ）のグラフが示すように、水受け部２４の深さ寸法Ｇが大きいほど、使用者は、手が洗いやすいと感じる。水受け部２４の深さ寸法Ｇが７０ｍｍ以上であれば、使用者の手の洗浄具合の満足度は、「３」以上である。即ち、水受け部２４の深さ寸法Ｇが７０ｍｍ以上になると、使用者は、手の洗浄動作において、普通以上の洗いやすさであると感じるようになる。
【００５２】
図１２（ｂ）に表したグラフ図の横軸は、水受け部２４の深さ寸法Ｇである。図１２（ｂ）に表したグラフ図の縦軸は、水受け部２４の上面に対する手洗い位置の高さである。なお、水受け部２４の上面に対する手洗い位置の高さとは、水受け部２４の上面から、使用者の手のひらにある中指の付け根の位置Ｐ（図１０参照）までの、垂直高さである。水受け部２４の上面に対する手洗い位置の高さが正の値である場合には、位置Ｐは、水受け部２４の上面より上方に存在している。水受け部２４の上面に対する手洗い位置の高さが負の値である場合には、位置Ｐは、水受け部２４の上面より下方に存在している。
【００５３】
図１２（ｂ）のグラフが示すように、水受け部２４の深さ寸法が大きいほど、水受け部２４の上面に対する手洗い位置の高さが減少する。水受け部２４の深さ寸法が１００ｍｍ以上であれば、水受け部２４の上面に対する手洗い位置の高さがほぼゼロ以下となる。即ち、水受け部２４の深さ寸法が１００ｍｍ以上となれば、使用者の手の一部は、水受け部２４の内部に挿入される。使用者の手の一部が水受け部２４の内部に挿入されると、水受け部２４の外への水撥ねの量が減少することは、自明である。
【００５４】
また、一般的に女性より手の大きい男性のパーセンタイル値によると、７歳から９９歳までの日本人男性の手長は、９５％が２００ｍｍ以下である。なお、「手長」の定義は、手首屈曲線（手のひらに最も近いしわ）から、中指の指尖点までの直線距離である。よって、水受け部２４の深さ寸法は、２００ｍｍ以上の大きさは必要はない。
【００５５】
以上のことより、水受け部２４の深さ寸法は、１００ｍｍ以上、且つ、２００ｍｍ以下であることが好ましい。
【００５６】
以上のことより、本実施形態の手洗い器６によれば、水平面に対して傾斜して形成された傾斜部３８によって、水栓装置２０が設置される設置部２５において水溜まりが生ずることを抑制することができる。また、水栓装置２０は水平部３６に設置されるため、水栓装置２０へ力が掛かった場合でも、設置部２５の一部分に荷重が集中することを抑制することができる。さらに、水栓装置２０は水平部３６に設置されるため、設置部２５の上面に垂直設置用の部材を設けなくとも、水栓装置２０を、手洗い器本体１８に垂直に設置することができる。また、このように、本実施形態における手洗い器６においては、設置部２５の上面に垂直設置用の部材を設ける必要がないため、垂直設置用の部材を設ける場合に比べ、製造コストが低く、且つ、施工性が良い。加えて、手洗い器６に水平部３６を設ける代わりに、設置部２５の上面に垂直設置用の部材を設けた場合では、水栓装置２０に力が掛かった際に、垂直設置用の部材に力が加わってしまい、垂直設置用の部材が、破損したり、手洗い器本体１８又は水栓装置２０から外れる恐れがある。その結果、水栓装置２０が手洗い器本体１８に対して、外れる、又は、傾く可能性がある。それに対して、本実施形態の手洗い器６においては、設置部２５の上面に垂直設置用の部材を設ける必要がないため、上述した恐れによって、水栓装置２０が手洗い器本体１８に対して、外れる、又は、傾く可能性がない。また、狭いトイレルーム１００において仮に水栓装置２０を使用者が「手すり」のように把持し立ち座りする場合、垂直に設置されているので、傾いた水栓装置２０に比べて水栓装置２０を把持しやすい。
【００５７】
以上、本発明の一実施形態について説明した。しかし、本発明はこれらの記述に限定されるものではない。
【００５８】
本発明の一実施形態において、手洗い器６は、トイレルーム１００の横壁面１０２に当接して設置されたカウンター２に載置されるが、それに限らず、トイレルーム１００の横壁面１０２に直接設置されても良い。また、大便器２の後ろ壁面に直接設置されても良い。
【００５９】
本発明の一実施形態において、カウンター２は、収納部１０を有する、いわゆる「キャビネット型」であった。しかし、本発明はそれに限らず、カウンター１０は、収納部１０を有していなくとも良い。また、カウンター１０は、ペーパーホルダー部１６を有していなくとも良い。  
【００６０】
本発明の一実施形態において、設置部２５は、手洗い器本体１８の、図２における前方側、即ちトイレルーム１００内において横壁面１０２をみたときの右側、に設けられている。しかし、本発明はそれに限らず、設置部２５を、手洗い器本体１８の、図２における前方側、即ちトイレルーム１００内において横壁面１０２をみたときの左側、に設けても良い。
【００６１】
本発明の一実施形態において、「水平面」は、重力が働く方向に垂直な面である、と定義したが、それに限らず、トイレルーム１００の床面１０１に平行な面である、と定義しても良い。
【００６２】
本発明の一実施形態において、ブラケット６０は、トイレルーム１００の横壁面１０２に設置されているが、それに限らず、カウンター１０に設置されていても良い。
【００６３】
本発明の一実施形態において、アングル６８は、トイレルーム１００の横壁面１０２に設置されているが、それに限らず、カウンター１０に設置されていても良い。
【００６４】
本発明の一実施形態において、「滑らか」は、表面にバリなどが無い状態、と定義したが、それに限らず、例えば１ｍｍ当たりの角度変化の大きさが５度である状態、と定義しても良い。
【００６５】
本発明の一実施形態において、傾斜部３８は、水平部３６に対して、例えば１．５〜２度の角度で、水受け部２４へ向かって傾斜している。しかし、本発明はそれに限らず、水平面に対して、０度より大きな角度で傾斜していれば良い。
【００６６】
前述の実施の形態に関して、当業者が適宜設計変更を加えたものも、本発明の特徴を備えている限り、本発明の範囲に包含される。例えば、手洗い器６などが備える各要素の形状、寸法、材質、配置などや手洗い器６の設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００６７】
１ 大便器
２ カウンター
４ 鏡
６ 手洗い器
８ 便蓋
１０ 収納部
１２ 載置部
１４ トイレットペーパー
１６ ペーパーホルダー部
１８ 手洗い器本体
２０ 水栓装置（吐水手段）
２１ 排水孔
２２ 小孔
２４ 水受け部
２５ 設置部
２６ 吐水孔
２７ 吐水部
２８ 排水流路
２９ 取付部
３０ 開口部
３１ 下端部
３２ 溢れ面
３４ 水栓取付孔
３６ 水平部
３６ａ 上面
３８ 傾斜部
３８ａ 上面
３９ ナット
４０ 支持部
４１ 奥側端部
４２ ゴムブッシュ
４３ 手前側端部
４４ ゴムブッシュ取付孔
４６ 貫通孔
４８ ゴムブッシュ本体部
５０ 螺合部
５２ 第１ゴムブッシュ本体部
５４ 第２ゴムブッシュ本体部
５６ 第３ゴムブッシュ本体部
５８ 第４ゴムブッシュ本体部
６０ ブラケット
６２ フランジ部
６４ 挿通孔
６８ アングル
７０ 上端部
７２ 端部
１００ トイレルーム
１０１ 床面
１０２ 横壁面
Ｗ 入口間口
【図１】
2016106837.tif 000003
【図２】
2016106837.tif 000004
【図３】
2016106837.tif 000005
【図４】
2016106837.tif 000006
【図５】
2016106837.tif 000007
【図６】
2016106837.tif 000008
【図７】
2016106837.tif 000009
【図８】
2016106837.tif 000010
【図９】
2016106837.tif 000011
【図１０】
2016106837.tif 000012
【図１１】
2016106837.tif 000013
【図１２】
2016106837.tif 000014
【図１３】
2016106837.tif 000015